(57)【要約】【課題】修正痕を示す付帯情報に他の機能も持たせ、ユーザの利便性の向上を図る。【解決手段】原稿上の画像情報を読み取る読取部１３０と、原稿上の白色の付着物を検出する付着物検出部１００Ａと、付着物検出部１００Ａによって前記白色の付着物を検出したとき、前記読取部１３０によって原稿の反対面の情報を読み取り、その読み取り情報を画像情報として付着物検知側の画像情報に付帯させる画像処理部（付帯情報付加部）１４０と、任意の情報に対して暗号化を行う暗号処理部１８０とを備え、前記暗号処理部１８０は、前記付帯情報付加手段によって付加された前記原稿の反対面の情報を用いて画像の暗号化を行う。【選択図】図１
2009272773.tif 000002
【特許請求の範囲】
【請求項１】
原稿上の画像情報を読み取る読み取り手段と、
原稿上の白色の付着物を検出する検出手段と、
前記検出手段によって前記白色の付着物を検出したとき、前記読み取り手段によって原稿の反対面の情報を読み取り、その読み取り情報を画像情報として付帯させる付帯情報付加手段と、
任意の情報に対して暗号化を行う暗号化手段と、
を備え、
前記暗号化手段は、前記付帯情報付加手段によって付加された前記原稿の反対面の情報を用いて画像の暗号化を行うことを特徴とする画像処理装置。
【請求項２】
請求項１記載の画像処理装置において、
前記付帯情報付加手段は、前記検出手段による前記付着物の検出情報に前記読み取り情報を付帯させることを特徴とする画像処理装置。
【請求項３】
請求項１または２記載の画像処理装置において、
前記付帯情報付加手段によって付加された情報を使用し、画像データ全体を暗号化することを特徴とする画像処理装置。
【請求項４】
請求項１または２記載の画像処理装置において、
前記付帯情報付加手段によって付加された情報を使用し、前記付帯される前記原稿の反対面の読み取り情報を暗号化することを特徴とする画像処理装置。
【請求項５】
請求項１ないし４のいずれか１項に記載の画像処理装置において、
前記原稿上の画像情報を読み取る読み取り手段が前記原稿の一側の面のみ読み取る片面読み取り機能を備えていることを特徴とする画像処理装置。
【請求項６】
請求項１ないし４のいずれか１項に記載の画像処理装置において、
前記前記原稿上の画像情報を読み取る読み取り手段が前記原稿の両側の面を一度通紙で読み取る両面読み取り機能を備えていることを特徴とする画像処理装置。
【請求項７】
請求項１ないし６のいずれか１項に記載の画像処理装置を備えていることを特徴とする画像形成装置。
【請求項８】
原稿上の画像情報を読み取る工程と、
読み取った画像情報に基づいて原稿上の白色の付着物を検出する工程と、
前記検出する工程で前記白色の付着物を検出したとき、前記原稿の反対面の情報を読み取り、その読み取り情報を画像情報として付帯させる工程と、
任意の情報に対して暗号化を行う工程と、
を備え、
前記暗号化を行う工程では、前記付帯する工程で付加された前記原稿の反対面の情報を用いて画像の暗号化を行うことを特徴とする画像処理方法。
【請求項９】
請求項８記載の画像処理方法において、
前記付帯する工程では、前記付着物の検出情報に前記読み取り情報を付帯させることを特徴とする画像処理方法。
【請求項１０】
請求項８または９記載の画像処理装置において、
前記付帯情報付加手段によって付加された情報を使用し、画像データ全体または前記原稿の反対面の読み取り情報を暗号化することを特徴とする画像処理方法。
【請求項１１】
コンピュータにロードされ、コンピュータで画像処理を行うコンピュータプログラムにおいて、
原稿上の画像情報を読み取る手順と、
読み取った画像情報に基づいて原稿上の白色の付着物を検出する手順と、
前記検出する手順で前記白色の付着物を検出したとき、前記原稿の反対面の情報を読み取り、その読み取り情報を画像情報として付帯させる手順と、
任意の情報に対して暗号化を行う手順と、
を備え、
前記暗号化を行う手順では、前記付帯する手順で付加された前記原稿の反対面の情報を用いて画像の暗号化が行われることを特徴とするコンピュータプログラム。
【発明の詳細な説明】
【技術分野】
【０００１】
本発明は、原稿の一側の面に訂正箇所に対応する白色の付着物を検出したときに、当該付着物の検出情報を利用して暗号化を行う画像処理装置、画像処理方法、画像形成装置、及びコンピュータプログラムに関する。
【背景技術】
【０００２】
近年、ｅ−文書法の施行により、医療法に定められた「記録（処方箋）」や旅館業法に定められた「宿泊者名簿」等のような保管が義務付けられている文書を、電子化された文書（以下、電子文書と称する）として保存することが認められるようになった。膨大な紙文書の電子化は、保管場所の削減に寄与するとともに、検索効率も向上することから、紙文書の電子化に関する技術に注目が集まっている。一方、電子文書は紙の原文と同様の法的効力を有するものであることから、原文の厳密なコピーとすることが要求される。
【０００３】
また、デジタル画像を取り扱うデジタル複写機やデジタル複合機（ＭＦＰ）には一般に、地肌除去の機能が搭載されている。これは、スキャナで読み取った原稿をコピーしたりネットワークを介して外部のパーソナルコンピュータ（ＰＣ）などに配信したりする際に、原稿の地肌を除去することによって画像の可読性を向上させるためである。一方でこの地肌処理は修正液、修正テープなど（以下、これらを総括的に「修正液」と称す）の修正痕を除去してしまう。これは修正液が一般に使用される原稿用紙の濃度より低い濃度を持ち、修正痕を飛ばしてしまうからである。
【０００４】
ところが、前記ｅ−文書法に基づいて様々な紙文章を電子化したとき、文章の真実性、可視性を重要視することが求められ、修正痕（修正液の塗布箇所もしくは塗布痕）についても厳密に電子文書に反映させることが要求されている。
【０００５】
修正痕のような低濃度領域を残す地肌処理の従来技術としては、例えば特許文献１に記載された技術が知られている。この技術は、通常の露光量よりも少ない露光量で読み取った画像において、飽和している領域を修正痕領域と判定し、修正痕を強調表示し、また、前記修正痕領域を付帯情報とするものである。
【特許文献１】特開２００６−２９５３０７号公報
【発明の開示】
【発明が解決しようとする課題】
【０００６】
前記特許文献１に記載された技術では、修正箇所を検知した領域（修正痕領域）を付帯情報としているが、このように画像データに付帯情報を付加した場合、当然付帯情報によって元画像の画像データよりも画像の容量が大きくなってしまう。また、画像データが増えると、付帯情報も増加する。
【０００７】
そこで、本発明が解決しようとする課題は、修正痕を示す付帯情報に他の機能も持たせ、ユーザの利便性の向上を図ることにある。
【課題を解決するための手段】
【０００８】
前記課題を解決するため、第１の手段は、原稿上の画像情報を読み取る読み取り手段と、原稿上の白色の付着物を検出する検出手段と、前記検出手段によって前記白色の付着物を検出したとき、前記読み取り手段によって原稿の反対面の情報を読み取り、その読み取り情報を画像情報として付帯する付帯情報付加手段と、任意の情報に対して暗号化を行う暗号化手段と、を備え、前記暗号化手段は前記付帯情報付加手段によって付加された前記原稿の反対面の情報を用いて画像の暗号化を行うことを特徴とする。
【０００９】
第２の手段は、第１の手段において、前記付帯情報付加手段が前記検出手段による前記付着物の検出情報に前記読み取り情報を付帯させることを特徴とする。
【００１０】
第３の手段は、第１または第２の手段において、前記付帯情報付加手段によって付加された情報を使用し、画像データ全体を暗号化することを特徴とする。
【００１１】
第４の手段は、第１または第２の手段において、前記付帯情報付加手段によって付加された情報を使用し、前記付帯される前記原稿の反対面の読み取り情報を暗号化することを特徴とする。
【００１２】
第５の手段は、第１ないし第４のいずれかの手段において、前記原稿上の画像情報を読み取る読み取り手段が前記原稿の一側の面のみ読み取る片面読み取り機能を備えていることを特徴とする。
【００１３】
第６の手段は、第１ないし第４のいずれかの手段において、前記前記原稿上の画像情報を読み取る読み取り手段が前記原稿の両側の面を一度通紙で読み取る両面読み取り機能を備えていることを特徴とする。
【００１４】
第７の手段は、第１ないし第６のいずれかの手段に係る画像処理装置を画像形成装置が備えていることを特徴とする。
【００１５】
第８の手段は、原稿上の画像情報を読み取る工程と、読み取った画像情報に基づいて原稿上の白色の付着物を検出する工程と、前記検出する工程で前記白色の付着物を検出したとき、前記原稿の反対面の情報を読み取り、その読み取り情報を画像情報として付帯する工程と、任意の情報に対して暗号化を行う工程と、前記暗号化を行う工程では、前記付帯する工程で付加された前記原稿の反対面の情報を用いて画像の暗号化を行うことを特徴とする。
【００１６】
第９の手段は、第８の手段において、前記付帯する工程では、前記付着物の検出情報に前記読み取り情報を付帯させることを特徴とする。
【００１７】
第１０の手段は、第８または第９の手段において、前記付帯情報付加手段によって付加された情報を使用し、画像データ全体または前記原稿の反対面の読み取り情報を暗号化することを特徴とする。
【００１８】
第１１の手段は、コンピュータにロードされ、コンピュータで画像処理を行うコンピュータプログラムにおいて、原稿上の画像情報を読み取る手順と、読み取った画像情報に基づいて原稿上の白色の付着物を検出する手順と、前記検出する手順で前記白色の付着物を検出したとき、前記原稿の反対面の情報を読み取り、その読み取り情報を画像情報として付帯する手順と、任意の情報に対して暗号化を行う手順と、を備え、前記暗号化を行う手順では、前記付帯する手順で付加された前記原稿の反対面の情報を用いて画像の暗号化を行うことを特徴とする。
【００１９】
なお、後述の実施形態では、読み取り手段は読取部１３０に、検出手段は付着物検出部１００Ａに、付帯情報付加手段は付帯情報付加部１４８に、暗号化手段は暗号処理部１８０に、画像形成装置はＭＦＰに、それぞれ対応する。
【発明の効果】
【００２０】
本発明によれば、暗号化手段は前記付帯情報付加手段によって付加された前記原稿の反対面の情報を用いて画像を暗号化するので、付帯情報に対して暗号化という他の機能も提供することが可能となり、ユーザの利便性の向上を図ることができる。
【発明を実施するための最良の形態】
【００２１】
以下、図面を参照し、本発明の実施形態について説明する。
【実施例１】
【００２２】
図１は本実施形態の実施例１に係る画像処理装置の構成を示すブロック図である。本実施例における画像処理装置は、ＣＣＤ方式のスキャナを搭載したデジタル式複合機（ＭＦＰ）から構成され、本実施例では、白黒モードにより原稿の読み取りが行われるものとする。
【００２３】
図１において、画像処理装置１００は、原稿を読み取る際に原稿を露光する照射光の露光量を調整する露光量調整部１１０と、原稿を露光する露光部１２０と、露光された原稿を読み取る読取部１３０と、読み取られた原稿の画像データ（以下、単に画像データと称する）に対して後述する通常の画像処理を施す画像処理部１４０と、画像データに対して後述する特殊画像処理を行う特殊モード処理部１５０と、画像処理モード入力部１６０と、暗号処理部１８０と、特殊画像処理および／または通常画像処理、さらには暗号処理が施された画像データを画像処理装置１００の外部へ出力する出力部１７０と、を備える。また、露光量調整部１１０、露光部１２０、画像処理モード入力部１６０及び特殊モード処理部１５０により付着物検出部１００Ａが構成されている。
【００２４】
図２はＭＦＰのスキャナ部２００の概略構成を示す図で、前記露光部１２０及び読取部１３０が設けられている。スキャナ部は原稿の読み取りに用いられるＣＣＤ方式のもので、本体部２１０と、本体部２１０の上部に取り付けられ、本体部２１０の上面で開閉する圧板２２０とを備えている。圧板２２０の本体部２１０に対向する側には、白板２２１が設けられ、原稿読み取りの際、原稿本体部２１０上面のコンタクトガラス２１１上に載置される。そして、圧板２２０は、原稿全体を覆いかつ原稿を白板２２１とコンタクトガラス２１１との間に挟み込むように閉じられる。これにより原稿は、白板２２１とコンタクトガラス２１１の上面との間で狭持され、外部からの光を遮断し、コンタクトガラス２１１の下（本体部２１０の内側）の露光ランプによって所定の露光量で確実に原稿を露光することができる。
【００２５】
本体部２１０は、原稿が載置される前記コンタクトガラス２１１と、コンタクトガラス２１１を介して所定の露光量で原稿を露光する原稿照明ランプ２１２と、原稿照明ランプ２１２により露光された原稿からの反射光を反射する第１のミラー２１３と、第１のミラーにより反射された光を反射する第２のミラー２１４および第３のミラー２１５と、第２のミラー２１４および第３のミラー２１５により反射された光を集光する集光レンズ２１６と、集光レンズ２１６により集光された光を読み取るＣＣＤ２１７と、を備える。コンタクトガラス２１１は、原稿の載置台として用いられるとともに、照明光および／または反射光を透過する。
【００２６】
原稿照明ランプ２１２は、原稿１ライン分を同時に照明可能な長さを有し、原稿をコンタクトガラス２１１を介して露光する。第１のミラー２１３は、露光された原稿からの反射光を反射する。なお、原稿照明ランプ２１２および第１のミラー２１３は、画像処理装置１００に備えられる露光部１２０に対応するものである。この露光部１２０は、コンタクトガラス２１１上に載置された原稿に平行となる方向（図２において左右方向）へ移動可能であり、原稿を１ラインずつ走査する。なお、ここでいう原稿１ライン分とは、例えばＣＣＤ２１７としてリニアＣＣＤを用いた場合、リニアＣＣＤ２１７が一度に読み取れる範囲に対応する原稿上の領域のことである。
【００２７】
第２のミラー２１４および第３のミラー２１５は、露光された原稿からの光を集光レンズ２１６へと導く。なお、それら複数のミラーを用いることにより、本体部２１０の厚さ（載置された原稿に対して直交する方向における厚さ）を減少させることが可能となる。
【００２８】
集光レンズ２１６は、複数のミラーにより反射された光をＣＣＤ２１７に集光する。ＣＣＤ２１７は結像面に集光された光を読み取る機能を有し、図１における読み取り部１３０に対応する。なお、本実施例ではＣＣＤ２１７としてリニアＣＣＤが用いられている。しかしながら、リニアＣＣＤに代えて、例えば通常のＣＣＤを用いることも可能である。なお、ここでいう通常のＣＣＤとは、原稿全体を一度に読み取ることが可能な画素数を有するものであり、そのような通常のＣＣＤを用いた場合、原稿に対して露光部を走査させる必要はなくなる。
【００２９】
図３は、原稿が露光された際の光の透過状態を示す概略図であり、白板２２１とコンタクトガラス２１１との間に原稿Ｄが閉じ込まれた状態を示している。コンタクトガラス２１１から白板２２１へ向かう矢印は、原稿照明ランプ２１２から照射された照射光の光路を示しており、白板２２１からコンタクトガラス２１１へ向かう矢印は、原稿Ｄまたは白板２２１からの反射光の光路を示している。また、原稿Ｄには、修正液が塗布されている修正痕領域Ｗと、切り貼り紙Ｐとが示されている。なお、図３では、原稿Ｄがどのように透過されているのかのみに着目しているため、その説明の便宜上、原稿Ｄとコンタクトガラス２１１との間に距離を設けているとともに、照明光および反射光を共に直線状に示してある。
【００３０】
原稿Ｄへの露光量は露光量調整部１１０によって光源２１２からの光量を制御し、調整するようになっている。そのため、同一の原稿Ｄを通常の露光量（以下、露光量ｈ２と称する）と、通常の露光量とは異なる他の露光量で露光することが可能である。なお、ここでいう「通常の露光量」とは、原稿Ｄと、原稿Ｄ上に印刷された文字等を含む画像を読み取ることのできる一般的な露光量のことであって、修正痕領域の特定が困難なものとして一般的に知られる露光量のことである。図３では、露光量ｈ２よりも大きな露光量（以下、露光量ｈ１と称する）が用いられている。露光量ｈ１の照射光は、図３の矢印に示されるように、原稿Ｄおよび切り貼り紙Ｐを透過するものの、修正痕領域Ｗの少なくとも一部については透過しない。これは、修正痕領域Ｗが、原稿Ｄおよび切り貼り紙Ｐよりも大きな密度を有した領域を含んでいることに起因している。なお、修正液の塗り方如何によっては、極めて密度の低い修正痕領域が存在する可能性もあるため、ここでは、露光量ｈ１の照射光が、修正痕領域Ｗの少なくとも一部、すなわち、少なくとも密度の高い修正痕領域を透過できないこととした。なお、露光量調整部１１０は、露光量ｈ１の値を予め格納する図示しないメモリを備えている。
【００３１】
図４は、露光量ｈ１で露光したときのＣＣＤ２１７の１ライン分の画素に読み取られた原稿Ｄの濃度を示す特性図である。なお、図４では、ｘ軸はＣＣＤ２１７の１ライン上の画素位置を示し、ｙ軸はＣＣＤ２１７により検知された濃度を示す。また、それぞれの画素は、白板２２１からの反射光の濃度を最大値として検出しており、そのような濃度を飽和濃度として定義する。
【００３２】
図４に示されるように、領域Ａに属する画素により検出された濃度は飽和している。一方、領域Ｂに属する画素により検出された濃度は、飽和濃度と比較して低いものとなっている。これは、図３に示したように、修正痕領域Ｗにおいては、照射光が白板２２１まで透過しないからである。よって、露光量ｈ１により、修正痕領域Ｗの少なくとも一部を、他の領域と区別することが可能となる。なお、以下の説明においては、露光量ｈ１を用いて検知された領域であって、飽和濃度を有していない領域を、「濃度差領域」と称する。
【００３３】
以上のように、露光量ｈ１を用いることにより、切り貼り紙Ｐを貼った領域を検知することなく、修正痕領域Ｗの一部である濃度差領域のみを検知することが可能となる。一方、露光量ｈ１は、切り貼り紙Ｐをも透過してしまう強度なものなので、修正液を極めて薄く塗布した領域においては、照射光が透過してしまう虞がある。よって、修正痕領域Ｗを正確に特定するため、後述するような、通常の露光量ｈ２を用いて読み取られた画像データ（以下、画像データＤ２と称する）に基づく画像処理が必要となる。
【００３４】
なお、上記した修正痕領域Ｗの特定は、画像データＤ２に対する特殊画像処理として行われるものであるが、そのような特殊モードでの動作に代えて、画像処理装置を、修正痕領域Ｗの特定を行わない通常モードで動作させることも可能である。この場合、画像処理装置は、露光量ｈ２のみを用いて画像の読み取りを行うこととなる。よって、それらの動作モードの選択要求を受け取るとともに、適宜露光量の選択および処理モードの選択を行うべく、画像処理装置１００には、さらに、画像処理モード入力部１６０が設けられている。なお、画像処理モード入力部１６０は、通常モードまたは特殊モードを行うか否かに関する要求をユーザから取得し、所定の画像処理モードで画像処理が行われるよう画像処理部１４０に通知するとともに、露光量ｈ１による露光を行うか否かについて露光部１２０に通知する。
【００３５】
図５は、画像処理部１４０および特殊モード処理部１５０の構成を示すブロック図である。  
図５に示すように、画像処理部１４０は、濃度検知部１４１と、処理モード選択部１４２と、γ変換部１４３と、フィルタ処理部１４４と、地肌補正部１４５と、変倍処理部１４６と、圧縮処理部１４７と、を備え、信号もこの順で転送される。また、特殊モード処理部１５０は、濃度差領域検知部１５１と修正痕領域特定部１５２とを備える。濃度差領域検知部１５１は処理モード選択部１４２及び修正痕領域特定部１５２に接続され、修正痕領域特定部１５２は濃度差領域検知部１５１、γ変換部１４３及び地肌補正部１４５に接続されている。
【００３６】
濃度検知部１４１には、露光量ｈ２を用いて読み取られた画像データＤ２が入力される。濃度検知部１４１は、入力された画像データＤ２から濃度情報を取得し、その濃度情報に基づき原稿の地肌濃度を検知する。例えば、濃度検知部１４１は、ｘ軸を濃度とし、ｙ軸を画素数としたヒストグラムを用いて画像データＤ２を表すことにより地肌濃度を決定する。通常、原稿の地肌が占める面積は、地肌以外の面積（文字や修正痕等が占める面積）よりも大きいので、地肌濃度を検出する画素の数は、地肌濃度以外の多数の濃度のうち同じ濃度を検出する画素の数のどれよりも多い。よって、画像データＤ２を示すヒストグラムにおいては、最大画素数に対応する濃度が地肌濃度を表すピーク値Ｖとして検知される。
【００３７】
処理モード選択部１４２には、濃度検知部１４１により検知されたピーク値Ｖと、濃度検知部１４１を介して入力された画像データＤ２と、画像処理モード入力部１６０に入力された処理モード（特殊モードまたは通常モード）の選択要求とが入力される。なお、特殊モードが選択された場合、処理モード選択部１４２には、露光量ｈ１を用いて読み取られた画像データＤ１も入力される。
【００３８】
γ変換部１４３は、画像データＤ２の濃淡値のγ変換を行い、特殊モードにおいては、特殊モード処理部１５０からの修正痕領域情報に基づき、修正痕を見やすくするためのγ変換も行う。フィルタ処理部１４４は、文字または絵柄の平滑化等の画素ごとの濃淡変換だけではなく、周辺の画素の濃淡値まで考慮した変換を行う。地肌補正部１４５は、地肌に対する濃淡の補正を行い、特殊モードにおいては、特殊モード処理部１５０からの修正痕領域情報に基づき、修正痕を正確に確認できるような地肌補正を行う。変倍処理部１４６は、画像データに対して所定の変倍処理を行う。圧縮処理部１４７は、変倍処理された画像データを所定の圧縮率にて圧縮する。
【００３９】
また、図５に示すように、特殊モード処理部１５０は、濃度差領域検知部１５１と、修正痕領域特定部１５２とを備える。濃度差領域検知部１５１は、画像データＤ１に基づいて濃度差領域を検知し、修正痕領域特定部１５２は、濃度差領域検知部１５１により検知された濃度差領域に基づき修正痕領域Ｗを特定する。
【００４０】
図６は特殊モード処理部１５０による特殊画像処理（修正痕領域特定処理）の処理手順を示すフローチャートである。図７は濃度差領域検知部１５１により検知された濃度差領域を画素単位で示す概略図であり、図８は修正痕領域特定部１５２による比較対象画素の選択状態を示す概略図である。なお、図７および図８では、画像処理装置１００によって特定されるべき実際の修正痕領域Ｗを点線で示している。
【００４１】
図６において、濃度差領域検知部１５１は、特殊モードが選択された場合、画像データＤ１から濃度差領域Ａｉを検知する（ステップＳ１００）。濃度差領域検知部１５１により検知された濃度差領域Ａｉは、図７において斜線部の領域に対応する。露光量ｈ１で露光された修正痕領域Ｗは、その高密度領域が濃度差領域Ａｉとして検知される。一方、露光量ｈ１で露光された修正痕領域Ｗの低密度領域では、その密度の低さ故に照射光が透過してしまうため、濃度差領域Ａｉとして検知されない。よって、以下のように、濃度差領域Ａｉに基づき修正痕領域Ｗの低密度領域を特定して、修正痕領域Ｗ全体を特定することが必要となる。
【００４２】
修正痕領域特定部１５２は、濃度差領域検知部１５１により検知された濃度差領域Ａｉに含まれる画素であって、注目画素として未だ選択されていない任意の画素を注目画素Ｔとして選択する（ステップＳ１１０）。
【００４３】
次に、修正痕領域特定部１５２は、選択された注目画素Ｔと隣り合う画素であって、かつ濃度差領域Ａｉに含まれない任意の画素を比較対象画素Ｔｃとして選択する（ステップＳ１２０）。なお、濃度差領域Ａｉは、修正痕領域Ｗに含まれるものとしてすでに特定されていることから、濃度差領域Ａｉに含まれる画素が修正痕領域Ｗに含まれるか否かの判断を再度行う必要はない。この理由のため、上記したステップＳ１２０では、そのような処理を省略するようにしている。
【００４４】
修正痕領域特定部１５２は、比較対象画素Ｔｃを選択すると、比較対象画素Ｔｃの濃度Ｖｃとピーク値Ｖとの比較がすでに終わっているか否かを判断する（ステップＳ１３０）。これにより、ピーク値Ｖと濃度Ｖｃとの比較がすでに行われていた場合、比較対象画素Ｔｃに対する重複した濃度比較処理を省略することができる。
【００４５】
ここで、図８を用いて、比較対象画素Ｔｃの選択についてより具体的に説明する。本実施例１において、注目画素Ｔに対して隣り合わせの画素とは、図８に示される領域Ｓに含まれるものであり、例えば注目画素Ｔに対して左下にある画素Ｔｃである。換言すると、比較対象画素Ｔｃとなり得る画素は、注目画素Ｔを中心とした領域Ｓに含まれる注目画素Ｔ以外の８つの画素である。なお、前述のように濃度差領域Ａｉに含まれる画素は比較対象画素Ｔｃとして選択されないので、図８では、比較対象画素Ｔｃとなり得る画素は５つに限定される（ステップＳ１２０）。また、それら５つの画素についても、それぞれの画素の濃度がすでにピーク値Ｖと比較されたか否かが判断されることから（ステップＳ１３０）、その結果によっては、比較対象画素Ｔｃとなり得る画素がさらに限定される。
【００４６】
なお、本実施の形態においては、上記したように、比較対象画素Ｔｃとして、注目画素Ｔと隣り合わせの画素が選択される。しかしながら、本発明はこれに限定されず、例えば、注目画素Ｔを中心とした周囲２０個の画素のそれぞれを比較対象画素Ｔｃとして選択しても良く、また、注目画素Ｔを中心とした所定の半径を有する円に含まれる画素を比較対象画素Ｔｃとして選択しても良い。換言すると、比較対象画素Ｔｃとして、注目画素Ｔの周辺にある任意の画素を選択することができる。
【００４７】
比較対象画素Ｔｃの濃度Ｖｃとピーク値Ｖとがすでに比較されている否かを判断した結果（ステップＳ１３０）、濃度Ｖｃとピーク値Ｖとが比較されていた場合（ステップＳ１３０−Ｙｅｓ）、同じ注目画素Ｔと隣り合う画素であって、濃度差領域Ａｉに含まれない他の任意の画素を比較対象画素Ｔｃとして選択する。一方、濃度Ｖｃとピーク値Ｖとが比較されていなかった場合（ステップＳ１３０−Ｎｏ）、濃度Ｖｃがピーク値Ｖ未満であるか否かが判断される（ステップＳ１４０）。
【００４８】
その結果、比較対象画素Ｔｃの濃度Ｖｃがピーク値Ｖ以上であると判断された場合（ステップＳ１４０−Ｎｏ）、注目画素Ｔと隣り合う画素であって、濃度差領域Ａｉに含まれないすべての画素を比較対象画素Ｔｃとして選択したか否かが判断される（ステップＳ１６０）。
【００４９】
一方、濃度比較を行った結果（ステップＳ１４０）、比較対象画素Ｔｃの濃度Ｖｃがピーク値Ｖ未満であった場合（ステップＳ１４０−Ｙｅｓ）、すなわち、比較対象画素Ｔｃが地肌よりもより白かった場合、修正痕領域特定部１５２は、比較対象画素Ｔｃを修正痕領域Ｗの一部として特定する（ステップＳ１５０）。そして、注目画素Ｔと隣り合う画素であって、濃度差領域Ａｉに含まれないすべての画素を比較対象画素Ｔｃとして選択したか否かが判断される（ステップＳ１６０）。
【００５０】
ステップＳ１６０での判断結果で、該当するすべての画素が比較対象画素Ｔｃとして未だ選択されていなかった場合（ステップＳ１６０−Ｎｏ）、注目画素Ｔと隣り合う画素であって、濃度差領域Ａｉに含まれない他の画素を比較対象画素Ｔｃとして新たに選択する（ステップＳ１２０）。そして、被選択画素に対する修正痕領域特定処理（ステップＳ１２０〜ステップＳ１６０）を繰り返す。一方、修正痕領域特定部１５２は、該当するすべての画素が比較対象画素Ｔ該当するとして選択されていた場合（ステップＳ１６０−Ｙｅｓ）、濃度差領域Ａｉに含まれるすべての画素を注目画素Ｔとして選択したか否かを判断する（ステップＳ１７０）。
【００５１】
その結果、該当するすべての画素が注目画素Ｔとして選択されていなかった場合（ステップＳ１７０−Ｎｏ）、修正痕領域特定部１５２は、同じ濃度差領域Ａｉに含まれる画素であって、注目画素Ｔとして選択されていない他の画素を注目画素Ｔとして選択し（ステップＳ１１０）、その注目画素Ｔに対する修正痕領域特定処理（ステップＳ１１０〜ステップＳ１７０）を繰り返す。
【００５２】
一方、濃度差領域Ａｉに含まれるすべての画素を注目画素Ｔとして選択していた場合（ステップＳ１７０−Ｙｅｓ）、修正痕領域特定部１５２は、すべての濃度差領域Ａｉに対する修正痕領域特定処理（ステップＳ１１０〜ステップＳ１７０）が完了したか否かを判断する（ステップＳ１８０）。換言すると、例えば読み取り対象の原稿において複数の濃度差領域Ａ１およびＡ２が存在している場合、濃度差領域Ａ１およびＡ２のそれぞれに対する修正痕領域Ｗの特定が行われたか否かを判断する。
【００５３】
すべての濃度差領域Ａｉに対して修正痕領域特定処理が完了していなかった場合（ステップＳ１８０−Ｎｏ）、次の濃度差領域Ａｊ（ｊ≠ｉ）に含まれる画素であって、注目画素として選択されていない任意の画素を注目画素Ｔとして選択し、その新たな濃度差領域Ａｊに対する修正痕領域特定処理を繰り返す。一方、すべての濃度差領域Ａｉに対して修正痕領域特定処理がなされていた場合（ステップＳ１８０−Ｙｅｓ）、修正痕領域特定部１５２は、特定された修正痕領域に関する情報を画像処理部１４０に送信する。これにより、特殊モード処理部１５０における修正痕領域特定処理は終了する。
【００５４】
画像処理部１４０のγ変換部１４３および地肌補正部１４５は、特殊モード処理部１５０により特定された修正痕領域Ｗに基づき、画像データＤ２に対して、特定された修正痕を見やすくするためのγ変換と地肌に対する濃淡の補正とを行う。また、フィルタ処理部１４４、変倍処理部１４６および圧縮処理部１４７は、画像データＤ２に対して上記したような所定の処理を施す。そして、画像処理された画像データＤ２は、画像処理部１４０から付帯情報付加部１４８に送信される。付帯情報付加部１４８はＭＦＰに設けられたメモリ（ＲＡＭ）に対して画像データを一時的に蓄積する。
【００５５】
付帯情報付加部１４８は、原稿の印刷面と反対の面を読み取った場合に印刷面の画像情報に反対面の情報を付帯させる機能を有する。この機能を使用する場合、ユーザは原稿を手動で印刷面と反対にし、再度読み取り操作を行う。この操作により、読取部１３０では原稿の反対面を読み取り、γ処理部１４３にその画像データを送信する。図５においてγ変換部に入力される符号Ｄ３は読み取られた反対面の入力画像を示す。γ処理部１４３は入力画像Ｄ３に対し、修正痕領域特定部１５２が特定した修正痕の位置情報に相当する画像を抽出し、さらにその画像に対し、γ変換処理を行う。反転処理後画像はγ変換部に送信され、以降原稿の印刷面の画像に対する画像処理と同様にγ変換、フィルタ処理、地肌補正処理、変倍処理、圧縮処理を行い、付帯情報付加部１４８に反対面画像（情報）として送信される。付帯情報付加部１４８はメモリ（ＲＡＭ）に蓄積された原稿の印刷面から取得した画像データに対して反対面画像（情報）を付帯する。付帯する方法は、バイナリデータを画像のヘッダ情報とするか、ＲＧＢデータまたはＣＭＹＫデータの各版のチャンネルと独立したアルファチャンネルを新たに用意し、その付帯情報を保存しても良く、公知の付帯情報付加手段でも良い。付帯情報付加部１４８によって作成された画像は暗号処理部１８０へ送信される。
【００５６】
暗号処理部１８０では付帯情報付加部１４８によって付帯情報を付加された画像データを入力とする。画像データのバイナリデータに対し、このデータ群をＢＤとし、データ容量をｎとするとこのデータを一定の間隔ｄで区切った場合、データ数Ｓはｎが偶数のときｎ／ｄ、奇数のときｎ／ｄ＋１となる。
【００５７】
データ郡ＢＤのＳ個の要素に対し、１０進変換した数値をそれぞれＢＤ［ｉ］｛ｉ：０〜Ｓ−１｝とする。まず、この入力に対して変換式ｆ＿１，ｆ＿２，ｆ＿３を例えば下記の式（１）、式（２）、式（３）のように設定する。
【数１】
2009272773.tif 000003
【００５８】
式（１）ないし（３）において、ｆは２次元ユークリッド空間上の縮小写像である。簡単な例のため２次式になっているが、２次以上の任意の次式で行っても良い。また、Ｈｕ（ａ），Ｈｕ（ｂ），Ｈｕ（ｃ），Ｈｕ（ｄ），Ｈｕ（ｅ），Ｈｕ（ｆ），Ｈｕ（ｇ），Ｈｕ（ｈ），Ｈｕ（ｉ），Ｈｕ（ｊ）は縮小写像を満たす定数に相当する。定数Ｈｕ（＊）の決定の仕方は後述する。
【００５９】
ｆ（ｘ，ｙ）（ただしｆ：ｆ１，ｆ２，ｆ３）に入力する（ＢＤ［ｘ］，ＢＤ［ｙ］）の選択は例えば（ＢＤ［０］，ＢＤ［１］），（ＢＤ［２］，ＢＤ［３］），・・・・とする。ただし、データ個数が奇数である場合余ったデータは（ＢＤ［Ｓ−１］，ＢＤ［α］＝０）等と任意の定数とする。この座標の集合をＡｒとする。上記組み合わせの入力としｆを介して得られた座標の組はｆ（ＢＤ［０］，ＢＤ［１］），ｆ（ＢＤ［２］，ＢＤ［３］），・・・となる。集合Ａｒの要素すべてに対して、上記手順を行い、得た座標の集合をｆ１（Ａｒ），ｆ２（Ａｒ），ｆ３（Ａｒ）と記すことにする。次にＦを式（５）のように定める。
【数２】
2009272773.tif 000004
【００６０】
これはｆを介して得た点すべての集合を意味する。この集合をＷ１＝Ｆ（Ａｒ）として、式（５）のように反復してＦを作用させ、Ｗｎを得る。なお、ｎはＦの可逆性を保持するために十分な数を持った有限の数とする。
【００６１】
以上の処理によって出来上がったＷｎは生成順にバイナリデータに変換し、生成順にデータを合成する。なお、この後Ｗｎの点の構成順を変える等より複雑化するための冗長化手段等は任意に行うことが可能である。また、復号化についてはｆの逆写像を利用し、暗号化の手順を各点に対して逆に行えば良い。
【００６２】
このような方式を取るのは、このような写像を介すことによって情報量が圧倒的に異なることによる。本実施例の場合まずＡｒの点はｆを介することでそのＷ１を得、Ｗｎを求めるにはｆの係数のみを保持していれば良い。しかしながら、今度は逆にＷｎの点の羅列からＡｒの点に戻るようなｆを満たすＨｕ（ａ〜ｊ）の係数を推測することは現実的に困難であることが分かる。このような仕組みをとることにより解析されにくい生成式をつくることができる。
【００６３】
前記Ｈｕ（＊）の決定の仕方は以下のようにして行う。  
画像データの付帯情報のバイナリデータに対し、このデータ群をＨとし、データ容量をｓとするとこのデータを一定の間隔ｄで区切った場合、データ数Ｎはｓが偶数のときｓ／ｄ、奇数のときｓ／ｄ＋１となる。ＨのＮ個の要素に対し、１０進変換した数値をそれぞれＨ［ｉ］｛ｉ：０〜Ｓ−１｝とする。この入力に対して縮小写像を満たす条件が下記の式（６）である。
【数３】
2009272773.tif 000005
【００６４】
そこで、２次元で考えた場合この条件を満たすような
Ｈｕ（ａ）＝Ｈａｓｈ（Ｈ［Ｉ＿１］）
Ｈｕ（ｂ）＝Ｈａｓｈ（Ｈ［Ｉ＿２］）
Ｈｕ（ｃ）＝Ｈａｓｈ（Ｈ［Ｉ＿３］）
Ｈｕ（ｄ）＝Ｈａｓｈ（Ｈ［Ｉ＿４］）
を定義する。Ｈ［Ｉ＿１〜Ｉ＿４］はデータ群Ｈ［ｉ］から任意に４個選択する。この関数Ｈａｓｈ（ｘ）はどのような値が来ても基本的には縮小写像となり得るような値を設定することが汎用性を持たせるためには必須である。残りのＨｕ（ｅ￣ｊ）についてはＨ［ｉ］の中から任意に選択する。データ容量ｓを区切る間隔はｆの次元に応じて最低限必要な縮小写像の係数分のＨ［ｉ］を用意できるよう設定する必要がある。なお、データ容量自体がＨｕ（＊）の数に対して最低限ない場合は足りない分を任意の乱数を生成し、条件を満たすように取る。
【００６５】
Ｈｕ（ａ〜ｊ）は暗号解除のキーに相当するため、任意の暗号化を施し、外部記憶装置に保存する等の任意の手段によって保存者に情報が伝達される。なお、この暗号化の手段は他の暗号モデルを利用しても良い。また、付帯情報として用いるデータはバイナリデータに限定されるものではなく、ＯＣＲによって文字認識された文字情報、付帯情報としての画像情報、付着物の検出領域の付帯情報でも良い。
【００６６】
以上の処理によって暗号化された画像は出力部１７０へされる。
【００６７】
画像処理モード入力部１６０によって通常モードが選択された場合、画像処理装置１００では、特殊モード処理部１５０による修正痕領域Ｗの特定は行われず、露光量ｈ２を用いて取得された画像データＤ２のみを用いた通常の画像処理が行われる。換言すると、画像処理部１４０は、画像データＤ２に対して、修正痕領域Ｗを区別するような処理を行わない通常の画像処理を施して出力部１７０へ出力する。このとき、通常モードにおいて付帯情報付加部１４８は特別な処理を行わなず、画像データはそのまま出力部１７０へ送信される。  出力部１７０は、所定の処理が施された画像データＤ２を、ＭＦＰに備えられた図示しない所定の装置へ転送する。例えば、ＭＦＰに備えられる図示しない印刷部は、画像処理後のデータの印刷が要求された場合、出力部１７０から転送された画像処理済の画像データＤ２に対応した画像を印刷する。また、出力部１７０は、例えば画像データをデータとして取得することが要求された場合、画像処理済の画像データＤ２を図示しない所定の格納部へ格納する。また、蓄積された画像データが暗号化されている場合はユーザの要求に応じて復号化し、各出力装置へ出力される。
【００６８】
換言すると、出力部１７０は、ＭＦＰがスキャナ、印刷機、およびファクシミリ等の種々の機能を有するものであることから、ユーザの要求に応じて出力先を選択することとなる。
【００６９】
以上のように本実施例によれば、
１）通常よりも強い露光量で原稿を走査して得た画像から、修正液が塗布されたおおよその領域のみを検知することができる。  
２）修正液が塗布されたおおよその領域のみを検知することができるので、切り貼り紙等を検知することなく修正痕のみを検知することが可能である。  
３）通常よりも強い露光量を用いた濃度差領域の特定処理に加え、特定された濃度差領域近傍の領域の濃度と地肌濃度とを比較するので、露光量の強さ故に修正痕領域として検知されなかった修正液の低密度領域についても、正確に修正痕領域として検知することができる。  
４）付帯情報付加部で付加された原稿の修正痕がない側の情報を用いて画像の暗号化を行うことができる。  
などの効果を奏する。
【００７０】
なお、本実施例では、画像処理装置１００をＭＦＰに適用しているが、本発明はこれに限定されず、例えばファクシミリまたは複写機単体に用いることもできる。
【００７１】
また、本実施例では、白黒モードによる画像処理装置１００を例示しているが、本発明はこれに限定されず、画像処理装置１００をカラー・モードの画像処理にも用いることが可能である。この場合、図２に示したＭＦＰのスキャナ部をカラー読み取り用のスキャナに変更し、画像処理部１４０をカラー処理が可能な構成にする。例えば、スキャナ部が原稿からの光を三原色（ＲＧＢ）に分解するカラー・フィルタ等を備え、また、画像処理部１４０が決められた特性の色空間のＲＧＢデータに変換する色変換部等を備えれば良い。
【００７２】
また、本実施の形態では、ＣＣＤ方式のスキャナを用いているが、本発明はこれに限定されず、例えばＣＩＳ方式のスキャナを用いても良い。また、本実施例では原稿の印刷面の反対面を読み取る際に露光量を原稿の印刷面読取時よりも高くすることによって、所謂透かし読みの効果を上げることができる。
【実施例２】
【００７３】
この実施例は、実施例２におけるスキャナ部の構成を両面同時読み取り可能な構成をしたものである。
【００７４】
図９は実施例２に係るＭＦＰのスキャナ部３００に対応する両面同時読取装置の概略構成を示す図である。同図において、両面同時読取装置は、キセノンランプあるいは蛍光灯で構成される露光量を任意に変更可能であって、白板３１０にも照明光を照射する光源３１１及び第１ミラー３１３を備えた第１走行体３０２と、第２及び第３ミラー３０４，３０５を備えた第２走行体３０６と、結像レンズ３０７と、一次元の光電変換素子（例ではＣＣＤ）３０８と、シートスルードキュメントフィーダ（ＳＤＦ）ユニット３０４と、原稿台３０１とが備えられている。このＳＤＦユニット３０４は例えば図２の圧板２２０の上部に一体に備えられるものである。
【００７５】
このＳＤＦユニット３０４では、ＭＦＰの駆動を制御するＣＰＵによってステッピングモータ３０６が駆動される。これによって、原稿台３０１にセットされた原稿３２０を分離ローラ３０２で１枚ずつに分離し、分離された原稿を搬送ローラ３０５によって第１走行体３１２の所定の読取位置まで搬送する。このとき原稿３２０は一定速度で搬送され、第１走行体３１２は、停止した状態で原稿面の図示下面側の画像をＣＣＤ３１８で読み取る。両面読み取り時には、白基準板３０７が読み込まれた後、裏面読み取り用の光源（ランプ）３０８からの光を原稿３２０の裏面に照射し、その反射光を密着センサ０９により読み取り、デジタル画像データを得る。これにより、原稿の表の面と裏の面の画像データを同時に得ることができる。
【００７６】
修正痕検知のような特殊原稿モードにおいて光源３１１は１ラインスキャンする毎に所定の露光量を交互に変化させ１ラインずつ順次各露光量での読み取りを行う。
【００７７】
本構成では光源が１個のパターンを記載しているが、光源を複数個追加し、また走行体を可動式にすることで異なる露光量で順次露光し読み取りを行うという形式でも良い。
【００７８】
以上によって、実施例２では実施例１における「ユーザは原稿を手動で印刷面と反対にし、再度読み取り操作を行う。」という操作を省略し、原稿の裏面の読み取りを自動的で行うことができる。
【００７９】
その他の各部は実施例１と同等に構成され、同等に機能するので、重複する説明は省略する。
【実施例３】
【００８０】
本実施例は付帯情報付加手段によって付加された情報を使用し、画像データの付帯情報を暗号化する例である。実施例１及び２とは図１の暗号処理部１８０以外の構成、及び基本動作は同一である。
【００８１】
本実施例では、暗号処理部１８０は付帯情報付加部１４８によって付加された付帯情報のバイナリデータを入力とする。このデータ群をＢＤとし、データ容量をｎとするとこのデータを一定の間隔ｄで区切った場合、データ数Ｓはｎが偶数のときｎ／ｄ、奇数のときｎ／ｄ＋１となる。
【００８２】
データ群ＢＤの要素に対し、１０進変換した数値をそれぞれＢＤ［ｉ］｛ｉ：０〜Ｓ−１｝とする。まず、この入力情報から暗号化するためのキーを生成する。キーを生成するための変換式ｆ＿１，ｆ＿２，ｆ＿３を例えば前記式（１）、式（２）、式（３）のように設定する。ｆは２次元ユークリッド空間上の縮小写像である。簡単のため、２次式になっているが、２次以上の任意の次式で行っても良い。式（１）ないし（３）において、Ｈｕ（ａ），Ｈｕ（ｂ），Ｈｕ（ｃ），Ｈｕ（ｄ），Ｈｕ（ｅ），Ｈｕ（ｆ），Ｈｕ（ｇ），Ｈｕ（ｈ），Ｈｕ（ｉ），Ｈｕ（ｊ）は縮小写像を満たす定数であれば任意に設定することができる。例えば管理者の生体情報を生体情報読み取り装置等から生体情報を入力とし、Ｈｕ（ａ），Ｈｕ（ｂ），Ｈｕ（ｃ），Ｈｕ（ｄ）が一意になるよう定数にすることがセキュリティ上望ましいと考えられる。
【００８３】
ｆ（ｘ，ｙ）（ただしｆ：ｆ１，ｆ２，ｆ３）に入力する（ＢＤ［ｘ］，ＢＤ［ｙ］）の選択は例えば（ＢＤ［０］，ＢＤ［１］），（ＢＤ［２］，ＢＤ［３］），・・・・とする。ただし、データ個数が奇数である場合、余ったデータは（ＢＤ［Ｓ−１］，ＢＤ［α］＝０）等と任意の定数とする。この座標の集合をＡｒとする。上記組み合わせの入力としてｆを介し得られた座標の組はｆ（ＢＤ［０］，ＢＤ［１］），ｆ（ＢＤ［２］，ＢＤ［３］），・・・となる。集合Ａｒの要素すべてに対して上記手順を行い、得た座標の集合をｆ１（Ａｒ），ｆ２（Ａｒ），ｆ３（Ａｒ）と記すことにする。次にＦを式（４）のように定める。
【００８４】
これはｆを介して得た点すべての集合を意味する。この集合をＷ１＝Ｆ（Ａｒ）として、式（５）のように反復してＦを作用させ、Ｗｎを得る。なお、ｎはＦの可逆性を保持するため有限回数であり、またセキュリティ確保のために十分な数を持った有限回数とする。
【００８５】
以上の処理によって出来上がったＷｎをバイナリに変換し直し、画像のデータに付加し直す。なおこの後、Ｗｎの点の構成順を変える等より複雑化するための手段等は省略する。
【００８６】
また、復号化については復号化のキーに相当するｆの係数Ｈｕ（ａ〜ｊ）からｆの逆写像を利用し、暗号化の手順を各点に対して逆に行えば良い。このように、画像の反対面について暗号化することによって、管理者以外の人等、不必要にユーザに情報を閲覧させることを防止する。なお、この暗号化手段は任意の暗号化手段を用いても良い。また、必要に応じて画像データの暗号化を行っても良い。さらに、付帯情報として用いるデータはバイナリデータに限定されるものではなく、ＯＣＲによって文字認識された文字情報、付帯情報としての画像情報、付着物の検出領域の付帯情報でも良い。
【００８７】
以上のように、本実施形態によれば、
１）原稿の付帯情報を暗号化に利用することにより、画像に対するセキュリティ向上の付加価値を与え、ユーザの利便性を向上させることができる。  
２）原稿の付帯情報を暗号化に利用することで画像全体に対するセキュリティ向上の付加価値を与えることができる。  
３）原稿の反対面の画像を任意に暗号化することによって、暗号化の範囲を冗長にすることなく、閲覧者が不必要に反対面の情報を閲覧することを防止することができる。  
４）付帯情報付加部で付加された原稿の修正痕がない側の情報を用いて画像の暗号化を行うことができる。  
等の効果を奏する。
【００８８】
なお、本発明は、本実施形態に限定されるものではなく、特許請求の範囲に記載された技術思想に含まれる技術的事項すべてに及ぶことは言うまでもない。
【図面の簡単な説明】
【００８９】
【図１】本発明の実施形態に係る実施例１の画像処理装置の構成を示すブロック図である。
【図２】実施例１のＭＦＰのスキャナ部の概略構成を示す図である。
【図３】原稿が露光された際の光の透過状態を示す概略図であり、白板とコンタクトガラスとの間に原稿が閉じ込まれた状態を示している。
【図４】所定の露光量で露光したときのＣＣＤの１ライン分の画素に読み取られた原稿の濃度を示す図である。
【図５】画像処理部および特殊モード処理部の構成を示すブロック図である。
【図６】特殊モード処理部による特殊画像処理（修正痕領域特定処理）の処理手順を示すフローチャートである。
【図７】濃度差領域検知部により検知された濃度差領域を画素単位で示す概略図である。
【図８】修正痕領域特定部による比較対象画素の選択状態を示す概略図である。
【図９】実施例２に係るＭＦＰのスキャナ部に対応する両面同時読取装置の概略構成を示す図である。
【符号の説明】
【００９０】
１００  画像処理装置
１００Ａ  付着物検出部
１１０  露光量調整部
１２０  露光部
１３０  読取部
１４０  画像処理部
１５０  特殊モード処理部
１６０  画像処理モード入力部
１７０  出力部
１８０  暗号処理部
２００，３００  スキャナ部
【図１】
2009272773.tif 000006
【図２】
2009272773.tif 000007
【図３】
2009272773.tif 000008
【図４】
2009272773.tif 000009
【図５】
2009272773.tif 000010
【図６】
2009272773.tif 000011
【図７】
2009272773.tif 000012
【図８】
2009272773.tif 000013
【図９】
2009272773.tif 000014